(57)【要約】【課題】  磁石を用いた接点スイッチ装置を提供する。【解決手段】  ブルドン管１１に連結された第１半月型ギア１３と，第１半月型ギア１３と噛み合って回転するピニオンギア１４と，ピニオンギア１４の回転軸上部に結合されてピニオンギア１４の回転方向に回転して，起動支持棒に接触すると回転による反作用によって逆回転する第２半月型ギア１８と，第２半月型ギア１８と噛み合って回転する補助ピニオンギア１９の回転軸上部に結合されて磁石の方向が転換される回転磁石２２と，回転磁石と同一の極性をもって回転磁石２２と一直線上に並ぶと接点をオフさせる起動磁石２３と，起動磁石２３と水平線上に一定距離だけ離隔された位置に固定させ，回転磁石２２と同一の極性をもって回転磁石２２の転換された回転方向を保持させる固定磁石２４と，回転磁石２２と起動磁石２３が一直線上に並ぶと接点スイッチから離隔されて電源をオフさせ，回転磁石２２と固定磁石２４が一直線上に並ぶと接点スイッチに接続されて電源をオンさせる板バネ２５とからなる。
2005516366.tif 000002
【特許請求の範囲】
【請求項１】
ブルドン管に連結されて所定の角度で回転する第１半月型ギアと；
前記第１半月型ギアと噛み合って回転するピニオンギアと；
前記ピニオンギアの回転軸上部に結合されてピニオンギアの回転方向に回転し，所定の間隔で配置された支持棒に接触すると，回転による反作用によって逆回転する第２半月型ギアと；
前記第２半月型ギアと噛み合って回転する補助ピニオンギアと；
前記補助ピニオンギアの回転軸上部に結合されて，補助ピニオンギアの回転に合わせて磁石の方向が転換される回転磁石と；
前記回転磁石と同一の極性をもって，回転磁石と一直線上に並ぶと接点をオフにする起動磁石と；
前記起動磁石と水平線上に所定距離だけ離隔された位置に固定され，回転磁石と同一の極性をもって，回転磁石と一直線上に並ぶと接点をオンにする固定磁石と；
前記回転磁石と起動磁石が一直線上に位置すると接点スイッチから離隔して電源をオフさせ，前記回転磁石と固定磁石が一直線上に並ぶと接点スイッチに接続して電源をオンさせる板バネと；からなることを特徴とする磁石を用いた接点スイッチ装置。
【発明の詳細な説明】
【技術分野】
【０００１】
本発明は，磁石を用いた接点スイッチ装置に関し，特に磁石を用いて加圧ポンプの起動および停止時に接点スイッチのオン／オフ(ＯＮ／ＯＦＦ)状態を保持し，接点スイッチが反復的にオン／オフされる誤動作を防止し，加圧ポンプの可動状態を一定に保持することにより，加圧ポンプを駆動するモーターと加圧ポンプに加えられる衝撃による破損を防止し，水圧を一定圧力に保持する磁石を用いた接点スイッチに関する。
【背景技術】
【０００２】
従来の圧力スイッチは，加圧ポンプの駆動により排出配管内の圧力変化に応じて膨張・収縮するブルドン管を用いて，加圧ポンプに印可される電源のオン／オフを稼動して電気回路を開閉させる。
【０００３】
圧力スイッチは，下端接点と上端接点の間に可動支持台を設置して，ブルドン管の圧力が減少すると可動支持台が下端接点側に回転して接点がオンされて加圧ポンプが起動する仕組みっとなっていた。
【０００４】
また，ブルドン管の圧力が上昇すると可動支持台は上端接点側に回転して接点がオフされて加圧ポンプは停止するようになる。
【０００５】
加圧ポンプの起動と停止に用いられる圧力スイッチは，接点のオン／オフに応じて加圧ポンプを起動・停止させるが，加圧ポンプの起動と停止による瞬間的な圧力の変化に応じて接点がオン／オフを連続的に繰り返すので，接点および加圧ポンプの損傷を防止するために，電気起動回路に接点のオン／オフ状態を一定時間だけ保持させる磁気保持回路を追加的に設置してきた。
【０００６】
ところが，上記のような圧力スイッチは，ブルドン管の圧力変化に応じて接点のオン／オフが連続的かつ反復的に発生して加圧ポンプの起動と停止が頻繁に発生し，加圧ポンプと駆動モーターに衝撃が与えられて加圧ポンプとモードを損なわせることを防止するために磁気保持回路を追加的に設置しなければならない。よって，高価な接点スイッチを生産することにより経済的な負担が増大し，加圧ポンプで保持させるべき圧力の状態を一定に保持し難い短所があった。
【０００７】
従って，加圧ポンプの起動と停止状態を一定に保持することにより，加圧ポンプの起動と停止による衝撃を減少させて，加圧ポンプとモーターを衝撃から保護し，接点スイッチの起動と停止を反復的に発生させないことにより，加圧ポンプの起動と停止による電力の損失を防止し，磁気保持回路を追加的に設置する必要がなくて低コストを実現できる接点スイッチが要求されつつある。
【発明の開示】
【発明が解決しようとする課題】
【０００８】
そこで，本発明は，このような問題に鑑みてなされたもので，その目的とするところは，磁石により接点のオン／オフ状態を保持することにより，加圧ポンプの起動と停止状態を保持し，接点のオン／オフ状態を保持することにより，加圧ポンプとモーターに加えられる衝撃を減少させ，接点がオン状態からオフ状態に転換またはオフ状態からオン状態に転換されながら設定された圧力に至るまで接点が再接続されたり短絡されたりせず加圧ポンプを引き続き駆動させる磁石を用いた接点スイッチを提供することにある。
【０００９】
また，本発明は，不要な接点の回数を減少させて接点の寿命を延長することにより半永久的に接点スイッチを使用することができ，磁気保持回路などを追加的に設置せずに機構的に接点のオン／オフを保持させて安価の接点スイッチを提供し，加圧ポンプの運転に対する信頼性と効率性を向上させた磁石を用いた接点スイッチ装置を提供することができる。
【課題を解決するための手段】
【００１０】
上記課題を解決するために，本発明の観点によれば本発明の磁石を用いた接点スイッチ装置は，ブルドン管に連結されてブルドン管の膨張と収縮に応じて一定角度で回転する第１半月型ギアと，第１半月型ギアと噛み合って回転するピニオンギアと，ピニオンギアの回転軸上部に結合されてピニオンギアの回転方向に回転するが，起動支持棒に接触すると回転による反作用によって逆回転する第２半月型ギアと，第２半月型ギアと噛み合って回転する補助ピニオンギアと，補助ピニオンギアの回転軸上部に結合されて磁石の方向が転換される回転磁石と，前記回転磁石と同一の極性をもって回転磁石と一直線上に並ぶと接点をオフさせる起動磁石と，起動磁石と水平線上に一定距離だけ離隔された位置に固定させ，回転磁石と同一の極性をもって回転磁石の転換された回転方向を保持させる固定磁石と，回転磁石と起動磁石が一直線上に並ぶと接点スイッチから離隔されて電源をオフさせ，回転磁石と固定磁石が一直線上に並ぶと接点スイッチに接続されて電源をオンさせる板バネとからなる。
【発明の効果】
【００１１】
以上説明したように，本発明によれば，一直線上に並んだ磁石の反発力により接点のオン／オフを切り替えるので，接点スイッチが故障せず，接点のオン／オフ状態を回転レバーが起動支持棒または停止支持棒に至るまで接点を保持させて接点が連続的にオン／オフ状態を保持することにより，加圧ポンプに加えられる衝撃を防止し，加圧ポンプの駆動が設定圧力に上昇したり下降するときは加圧ポンプが駆動されて加圧ポンプが安全に駆動される。
【００１２】
さらに，接点の寿命が延長されて半永久的に使用することができ，接点スイッチを安価で生産することもでき，加圧ポンプの運転に対する信頼性と効率性を向上させることができる。
【発明を実施するための最良の形態】
【００１３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１４】
図１は本発明の接点スイッチが“オン”された状態を示した断面図であり，図２は本発明の接点スイッチが“オフ”された状態を示した断面図であり，図３は本発明の接点スイッチ装置の回転レバーの移動状態を示した断面図である。
【００１５】
図１と図２に示したように，本発明の磁石を用いた接点スイッチ装置は，加圧ポンプ１０から流入される水圧により膨張・収縮するブルドン管１１と，ロッド１２によってブルドン管１１に連結されて所定位置に固定された回転軸１３ａを中心として回転する第１半月型ギア１３と，第１半月型ギア１３と歯車結合されて回転軸１４ａを中心として回転するピニオンギア１４と，ピニオンギア１４の回転軸１４ａに結合されてピニオンギア１４と同一な方向に回転して，回転レバー１５が起動支持棒１６または停止支持棒１７に引っかかると回転による反作用によって逆回転する第２半月型ギア１８とを含む。さらに，接点スイッチ装置は，第２半月型ギア１８と歯車結合された補助ピニオンギア１９と，補助ピニオンギア１９の上部に結合されて補助ピニオンギア１９の左・右側の所定位置に固定された左回転停止棒２０または右回転停止棒２１の回転半径内で回転する回転磁石２２と，回転磁石２２と一直線上に並ぶと電源をオフさせる起動磁石２３と，回転磁石２２と一直線上に並ぶと電源をオンさせる固定磁石２４と，起動磁石２４の位置に応じて電源をオン／オフさせる板バネ２５とから構成される。
【００１６】
ブルドン管１１は，加圧ポンプ１０により流入される水圧の圧力に応じて水圧が高いと膨張し，水圧が低いと収縮して，ブルドン管１１と加圧ポンプ１０の所定位置にはブルドン管１１に流入された水圧が逆流して加圧ポンプ１０に衝撃が与えられないように逆止弁２６を設置する。
【００１７】
ブルドン管１１の一側終端には，第１半月型ギア１３とロッド１２とを連結する連結穴１２ａを形成し，ブルドン１１の所定位置には開閉弁２７を設置して開閉弁２７を通じて加圧ポンプ１０から流入された水を排出させる。
【００１８】
ロッド１２の一側は，ブルドン管１１の膨張と収縮に応じて上下に移動し，他側は第１半月型ギア１３の連結穴１２ａに結合され，第１半月型ギア１３は所定位置を中心として回転するように回転軸１３ａを形成し，一側は弧状に歯車を形成する。
【００１９】
ピニオンギア１４は，第１半月型ギア１３と歯車結合されて第１半月型ギア１３の回転に応じて回転し，ピニオンギア１４の中心には回転軸１４ａを形成する。
【００２０】
ピニオンギア１４の回転軸１４ａ上部には，ピニオンギア１４と共に回転する第２半月型ギア１８を設置し，第２半月型ギア１８と一体で回転レバー１５を形成してピニオンギア１４の回転軸１４ａを中心に回転可能に設置する。
【００２１】
回転レバー１５の左・右側には，起動支持棒１６と停止支持棒１７を固定するが，起動支持棒１６と停止支持棒１７は使用者が設定しようとする圧力に応じて移動できるように支持板２８やカバー(図示せず)に多数の固定穴を形成して固定する。
【００２２】
第２半月型ギア１８は，ピニオンギア１４の回転軸１４ａ上部に結合されるが，ピニオンギア１４の回転に応じて回転する間に回転レバー１５が起動支持棒１６または停止支持棒１７に引っかかるとピニオンギア１４の回転による反作用によって逆回転するようにピニオンギア１４の回転軸１４ａに結合される。
【００２３】
補助ピニオンギア１９は，第２半月型ギア１８と歯車結合され，上部には磁石ホルダ２９内部に磁石を固定させた回転磁石２２を設置し，回転磁石２２の左・右側には回転磁石２２が一定な半径内で回転できるように左回転停止棒２０と右回転停止棒２１とを形成する。
【００２４】
磁石ホルダ２９は回転磁石２２の外周面に結合されて，回転磁石２２が補助ピニオンギア１９から離脱しないように固定する役割を果たす。
【００２５】
回転磁石２２の回転半径の一側には，回転磁石２２と同一な極(Ｎ極またはＳ極)をもって回転磁石２２と一直線上に並ぶと磁石の反発力により接点をオフさせる起動磁石２３を設置し，回転磁石２２の回転半径の他側には，回転磁石２２と同一な極をもって回転磁石２２と一直線上に並ぶと接点がオンされた状態を保持する固定磁石２４を設置する。
【００２６】
起動磁石２３と固定磁石２４には磁石が離脱しないように磁石ホールダ２９を結合し，起動磁石２３には回転磁石２４の位置に応じて回転磁石２２が固定磁石２４と一直線上に並ぶと接点がオンされ，回転磁石２２が起動磁石２３と一直線上に並ぶと接点がオフされる板バネ２５を固定接点３０に連結させる。
【００２７】
回転磁石２２に対応する起動磁石２３と固定磁石２４において，互いに対向している磁石は相互間の反発力のために正確な一直線上に並べないので，回転磁石２２は一定角度だけ起動磁石２３と固定磁石２４の外側方向に外れているが，その角度は２〜５°程度が望ましい。
【００２８】
固定接点３０は電源に連結されている。板バネ２５が接点に至ると電源を印可して加圧ポンプ１０を駆動させる。回転磁石２２が起動磁石２３と一直線上に並ぶと，起動磁石２３を押し上げて電源を遮断して加圧ポンプ１０の駆動を停止させる。のような磁石を用いた接点スイッチ装置は，加圧ポンプ１０が停止し開閉弁２７を開放させると，ブルドン管１１の圧力が収縮し，ブルドン管１１に連結されたロッド１２は下降し，ロッド１２の下降により第１半月型ギア１３は回転軸１３ａを中心として回転するようになる。
【００２９】
第１半月型ギア１３に歯車結合されたピニオンギア１４は回転軸１４ａを中心に回転し，回転レバー１５も回転軸１４ａを中心に回転しながら起動支持棒１６に引っかかるまではピニオンギアと同一に回転する。
【００３０】
回転レバー１５が起動支持棒１６に引っかかると，ピニオンギア１４の回転に対する反作用によって回転レバー１５が逆回転し，回転レバー１５の逆回転により一体で形成された第２半月型ギア１８は逆回転しながら補助ピニオンギア１４を回転させる。
【００３１】
補助ピニオンギア１９の回転により回転軸１９ａに結合された回転磁石２２も回転するようになり，回転磁石２２が起動磁石２３と一直線上で固定磁石２４の設置方向に回転すると，磁力の反発力により離隔されていた起動磁石２３が復帰しながら固定接点３０に連結された板バネ５の弾性により接点がオン状態に転換される。接点がオン状態に転換されると電源が印可されて加圧ポンプ１０を駆動するようになり，加圧ポンプ１０の駆動によりブルドン管１１の水圧が設定された水圧まで上昇するようになる。
【００３２】
ブルドン管１１の水圧が上昇してブルドン管１１が膨張するとロッド１２は徐々に上昇し，ロッド１２の上昇により第１半月型ギア１３は回転軸１３ａを中心として回転し，ピニオンギア１４の回転により回転レバー１５も停止支持棒１７側に移動し，回転磁石２２は右回転停止棒２１まで移動し，回転磁石２２は右回転停止棒２１に停止された状態を保持するようになる。
【００３３】
回転レバー１５が停止支持棒１７に至ると，ピニオンギア１４の回転による反作用によって回転レバー１５は逆回転し，回転レバー１５の逆回転と固定磁石２４の反発力により回転磁石２２は起動磁石２３方向に転換される。回転磁石２２は起動磁石２３を接点から離隔させて電源を遮断し，加圧ポンプ１０の駆動を停止させる。
【産業上の利用可能性】
【００３４】
本発明は，磁石を用いた接点スイッチ装置に適用可能である。
【図面の簡単な説明】
【００３５】
【図１】本発明の実施形態において接点スイッチが“オン”された状態を示した断面図である。
【図２】本発明の実施形態において接点スイッチが“オフ”された状態を示した断面図である。
【図３】本発明の実施形態において接点スイッチ装置の回転レバーの移動状態を示した断面図である。
【符号の説明】
【００３６】
１１      ブルドン管
１３      第１半月型ギア
１４      ピニオンギア
１６      起動支持棒
１７      停止支持棒
１８      第２半月型ギア
１９      補助ピニオンギア
２２      回転磁石
２３      起動磁石
２４      固定磁石
２５      板バネ
【図１】
2005516366.tif 000003
【図２】
2005516366.tif 000004
【図３】
2005516366.tif 000005
【国際調査報告】
2005516366.tif 000006